(57)【要約】【課題】  就寝者自らの寝返りを利用して温度環境を調節する電気敷毛布において、所望の位置に固定可能な電気敷毛布を提供する。【解決手段】  電気敷毛布１は、矩形状の基布４と、その内部に配される発熱体５と、基布４の両端部に設けられた伸張布８ａ，８ａとから成っている。前記基布４の横寸法（Ｗ）はベッド２のマット３の横寸法（Ａ）の１／２から１／３とする。これにより、電気敷毛布１をベッド２の一方側に敷くことで、他方側には電気敷毛布１が敷かれていない所ができる。その電気敷毛布１は、その両端に設けられた伸張布８ａ，８ａがマット３の下部とベッド２の上部との間に挟みこむ。これにより、電気敷毛布１は、所定の位置に固定されることから、就寝者の寝返り等により電気敷毛布１がマット３からずれることを防止できる。【選択図】      図１
2011161136.tif 000002
【特許請求の範囲】
【請求項１】
外側を被う基布と、該基布内に配された発熱体で構成され、
前記基布の横寸法をベッドふとん等の寝具の横寸法の１／２から１／３ぐらいとした電気敷毛布を作り、
前記寝具と前記電気敷毛布とのずれを防止するずれ防止機構を備えたことを特徴とする電気敷毛布。
【請求項２】
前記ずれ防止機構は、前記基布の長手方向の両端部から延設した伸張布であることを特徴とする請求項１に記載の電気敷毛布。
【請求項３】
前記ずれ防止機構は、面状ファスナーであることを特徴とする請求項１に記載の電気敷毛布。
【請求項４】
前記基布内に配された発熱体として、面状発熱体であることを特徴とする請求項１ないし３のいずれかに記載の電気敷毛布。
【発明の詳細な説明】
【技術分野】
【０００１】
この発明は、就寝時に暖房具として利用する電気敷毛布に関する。
【背景技術】
【０００２】
例えば、就寝時に電気毛布を使用した場合、就寝者は温度環境が高く寝苦しく感じると無意識のうちに布団を蹴落とし、急激な温度環境の変化により睡眠が妨げられることがある。
【０００３】
このような急激な温度環境の変化を防止する電気毛布として、たとえば、発熱体の外側を被う基布の横寸法をベッドふとん等の寝具の横寸法の１／２から１／３ぐらいとする電気毛布が知られている（特許文献１参照）。
【先行技術文献】
【特許文献】
【０００４】
【特許文献１】実用新案登録第３１４７７４７号公報
【発明の開示】
【発明が解決しようとする課題】
【０００５】
特許文献１に示す電気毛布は、就寝者が望む温度環境を自らの寝返りを利用して調節するものであり、電気毛布の基布表面の温度調整をシステムなどによって制御しないため特段の操作等を必要とせずコスト性にも優れるものである。ところが、就寝者の寝返りによって電気毛布が所望の位置からずれる不都合がある。
【０００６】
本発明は、上記問題に鑑みてなされたものであり、就寝者自らの寝返りを利用して温度環境を調節する電気敷毛布において、所望の位置に固定可能な電気敷毛布を提供することを目的とする。
【課題を解決するための手段】
【０００７】
この発明に係る電気敷毛布は、外側を被う基布と、該基布内に配された発熱体で構成され、前記基布の横寸法をベッドふとん等の寝具の横寸法の１／２から１／３ぐらいとした電気敷毛布を作り、前記寝具と前記電気敷毛布とのずれを防止するずれ防止機構を備えたことを特徴としている（請求項１）。
【０００８】
この構成により、電気敷毛布に、ずれ防止機構を備えたことにより、就寝者の寝返り等により電気敷毛布がずれることなく所望の位置に固定することができる。
【０００９】
また、前記ずれ防止機構は、前記基布の長手方向の両端部から延設した伸張布であることが望ましく（請求項２）、この伸張布を寝具の下面に挿入して電気敷毛布のずれを防ぐことができる。
【００１０】
さらに、前記ずれ防止機構は、面状ファスナーであることが望ましく（請求項３）、この面状ファスナーにより寝具に電気敷毛布を固定することができる。
【００１１】
さらにまた、前記基布内に配された発熱体として、面状発熱体であることが望ましい（請求項４）。
【発明の効果】
【００１２】
以上本発明によれば、電気敷毛布に、ずれ防止機構を備えたことにより、就寝者の寝返り等により電気敷毛布がずれることなく所望の位置に保つことができ、就寝者が自らの体の位置をコントロールして、温度管理をし、睡眠を良好に保つことができる。
【図面の簡単な説明】
【００１３】
【図１】図１は、この発明の電気敷毛布をベッドに敷いた状態の斜視図である。
【図２】図２は、この発明の電気敷毛布の全体を示した斜視図である。
【図３】図３は、この発明の電気敷毛布のコントロール装置を拡大した拡大斜視図である。
【図４】図４は、この発明の電気敷毛布をベッドに敷いた状態の斜視図である。
【発明を実施するための形態】
【実施例１】
【００１４】
図１において、この発明の電気敷毛布１が、ベッド２のマット３の上面であって、左側に片寄って縦方向に敷かれている。この電気敷毛布１は基布４とその基布内に配されている発熱体５より作られ、ずれ防止機構８によってマット３に固定されている。
【００１５】
基布４は、発熱体５の外側表面を被うとともにポリエステル等の素材で作られ、また発熱体５は、金属箔に電気を流して発熱させるとともにその上下面を耐熱性の樹脂素材で覆うことによりシート状に形成された面状発熱体であるが、これに変えてニクロムなどの電熱線を蛇行させるようにして基布４内に配して利用することもできる。また、基布４に炭素繊維などの遠赤外線放出物質を織り込んで保温効果を高めることも可能である。
【００１６】
ずれ防止機構８は、マット３に電気敷毛布１を固定するための機構で、例えば、図２に示すように、基布４の長手方向の両端がベッド２の長手方向に沿って伸張布８ａ，８ａが延設され、マット３とベッド２との間に挟み込むことで電気敷毛布１を所望の位置に固定することが可能である。
【００１７】
また、図３に示すように、基布４の側面には、通電並びに遮断の切換などの温度コントロール装置６が設けられており、コントロール装置６には所定の時間の経過に基づいて通電の切換を行うタイマーが内蔵されている。さらに、基布４の側面には発熱体５を内部に収容可能にファスナー９を有し、基布４のみを洗濯することができ清潔に保つことも可能である。なお、図中の７はプラグである。
【００１８】
前記電気敷毛布１の基布の横寸法（Ｗ）は、前記マット３の横寸法（Ａ）の９０〜１５０ｃｍの１／３程となっている。なお、人体の横寸法に近く３０〜５０ｃｍ程が好ましい。縦方向の縦寸法（Ｌ）は１５０ｃｍぐらいが好ましいが、特に限定することもない。また、図中のＢは、ベッド２の縦寸法である。
【００１９】
具体的な使用例として、電気敷毛布１をベッド２のマット３上の一方側に片寄って敷く。それから、基布４の長手方向両端に設けた伸張布８ａ，８ａをベッド２とマット３の間に挟みこむ。そして、電源を入れて、発熱させる。就寝時には、就寝者は電気敷毛布１側に寄って、体を暖める。そして、暑すぎると感じると、自然に寝返りを打って電気敷毛布１より遠ざかる。すると、マット３の他方側には電気敷毛布１はないため、熱が伝わっていない所に寝ることになり、自然に温度調節ができるようになる。それから、また寒くなれば再び電気敷毛布１側に戻って暖まることができることから、熟睡も継続することができる。また、このような寝返りを行った場合においても、伸張布８ａがマット３に固定されることにより、電気敷毛布１が所望の位置からずれることなく使用することが可能となる。
【００２０】
なお、上述の構成においては、ずれ防止機構として伸張布８ａ，８ａを用いてマット３に挟み込むようにすることで固定したが、これには限定されず、例えば、図４に示すように、基布４の長手方向における就寝者の頭方向と足先方向の両先端位置及びマット３の電気敷毛布１を固定する所望の位置に面状ファスナー８ｂ，８ｂを取り付けることによって固定してもよい。さらには、図示しないが、基布４の先端部にベルト状又はゴム等の弾性体の紐を設けて、マット３の外周面に沿って紐で固定してもよい。
【符号の説明】
【００２１】
１  電気敷毛布
２  ベッド
３  マット
４  基布
５  発熱体
６  温度コントロール装置
７  プラグ
８  ずれ防止機構
８ａ  伸張布
８ｂ  面状ファスナー
【図１】
2011161136.tif 000003
【図２】
2011161136.tif 000004
【図３】
2011161136.tif 000005
【図４】
2011161136.tif 000006
【手続補正書】
【提出日】平成22年8月2日(2010.8.2)
【手続補正１】
【補正対象書類名】特許請求の範囲
【補正対象項目名】全文
【補正方法】変更
【補正の内容】
【特許請求の範囲】
【請求項１】
外側を被う基布と、該基布内に配された発熱体で構成され、
前記基布の横寸法をベッド、ふとん等の寝具の横寸法の１／２から１／３ぐらいとした電気敷毛布を作り、
前記寝具と前記電気敷毛布とのずれを防止するずれ防止機構を備えたことを特徴とする電気敷毛布。
【請求項２】
前記ずれ防止機構は、前記基布の長手方向の両端部から延設した伸張布であることを特徴とする請求項１に記載の電気敷毛布。
【請求項３】
前記ずれ防止機構は、面状ファスナーであることを特徴とする請求項１に記載の電気敷毛布。
【請求項４】
前記基布内に配された発熱体として、面状発熱体であることを特徴とする請求項１に記載の電気敷毛布。
【請求項５】
前記基布内に配された発熱体として、ニクロム線等の電熱線でなることを特徴とする請求項１に記載の電気敷毛布。
【手続補正２】
【補正対象書類名】明細書
【補正対象項目名】０００３
【補正方法】変更
【補正の内容】
【０００３】
このような急激な温度環境の変化を防止する電気毛布として、たとえば、発熱体の外側を被う基布の横寸法をベッドやふとん等の寝具の横寸法の１／２から１／３ぐらいとする電気毛布が知られている（特許文献１参照）。
【手続補正３】
【補正対象書類名】明細書
【補正対象項目名】０００７
【補正方法】変更
【補正の内容】
【０００７】
この発明に係る電気敷毛布は、外側を被う基布と、該基布内に配された発熱体で構成され、前記基布の横寸法をベッド、ふとん等の寝具の横寸法の１／２から１／３ぐらいとした電気敷毛布を作り、前記寝具と前記電気敷毛布とのずれを防止するずれ防止機構を備えたことを特徴としている（請求項１）。
【手続補正４】
【補正対象書類名】明細書
【補正対象項目名】０００９
【補正方法】変更
【補正の内容】
【０００９】
また、前記ずれ防止機構は、前記基布の長手方向の両端部から延設した伸張布であることが好ましく（請求項２）、この伸張布を寝具の下面に挿入して電気敷毛布のずれを防ぐことができる。
【手続補正５】
【補正対象書類名】明細書
【補正対象項目名】００１０
【補正方法】変更
【補正の内容】
【００１０】
さらに、前記ずれ防止機構は、面状ファスナーであることが好ましく（請求項３）、この面状ファスナーにより寝具に電気敷毛布を固定することができる。
【手続補正６】
【補正対象書類名】明細書
【補正対象項目名】００１１
【補正方法】変更
【補正の内容】
【００１１】
さらにまた、前記基布内に配された発熱体として、面状発熱体のみならずニクロム線などの電熱線であることが好ましい（請求項４及び５）。
【手続補正７】
【補正対象書類名】明細書
【補正対象項目名】００１５
【補正方法】変更
【補正の内容】
【００１５】
基布４は、発熱体５の外側表面を被うとともにポリエステル等の素材で作られ、また発熱体５は、金属箔に電気を流して発熱させるとともにその上下面を耐熱性の樹脂素材で覆うことによりシート状に形成された面状発熱体であるが、これに変えてニクロム線などの電熱線を蛇行させるようにして基布４内に配して利用することもできる。また、基布４に炭素繊維などの遠赤外線放出物質を織り込んで保温効果を高めることも可能である。
【手続補正８】
【補正対象書類名】明細書
【補正対象項目名】００１９
【補正方法】変更
【補正の内容】
【００１９】
具体的な使用例として、電気敷毛布１をベッド２のマット３上の一方側に片寄って敷く。それから、基布４の長手方向両端に設けた伸張布８ａ，８ａをベッド２とマット３の間に挟みこむ。そして、電源を入れて、発熱させる。就寝時には、就寝者は電気敷毛布１側に寄って、体を暖める。そして、暑すぎると感じると、自然に寝返りを打って電気敷毛布１より遠ざかる。すると、マット３の他方側には電気敷毛布１はないため、熱が伝わっていない所に寝ることになり、自然に温度調節ができるようになる。それから、また寒くなれば再び電気敷毛布１側に戻って暖まることができることから、熟睡も継続することができる。また、このような寝返りを行った場合においても、伸張布８ａがマット３に固定されることにより、電気敷毛布１が所望の位置からずれることなく使用することが可能となる。この実施例では、ベッド２に電気敷毛布１を用いた例が示されているが、布団にも使用できることは勿論である。
【手続補正９】
【補正対象書類名】図面
【補正対象項目名】図２
【補正方法】変更
【補正の内容】
【図２】
2011161136.tif 000007